(57)【要約】【課題】磁気ヘッドに対する汚れの蓄積を防止する。【解決手段】磁気記録媒体読取装置１では、読取方向に走行する磁気カードＣをガイドするガイド部２の磁気ヘッド３に対して読取方向の反対側に清掃部４を設けるようにした。これにより、磁気記録媒体読取装置１では、清掃部４は、ガイド部２を走行する磁気カードＣの読取方向側の端部から押圧されて、磁気ヘッド３から磁気カードＣの主面方向に押圧されながら磁気ヘッド３を通過する。この際、清掃部４は、磁気ヘッド３の読み取り面をクリーニングすることができるため、磁気ヘッド３の読み取り面に汚れが付着して蓄積されることを防止することができる。【選択図】図１
2014203468.tif 000002
【特許請求の範囲】
【請求項１】
磁気カードに付された磁気記録媒体に対して読み取り処理を行う磁気記録媒体読取装置において、
読取方向に走行する前記磁気カードをガイドするガイド部と、
前記ガイド部に設けられ、走行する前記磁気カードに通過される間に、前記磁気記録媒体を前記磁気カードの主面方向に押圧する磁気ヘッドと、
前記ガイド部の前記磁気ヘッドに対して前記読取方向の反対側に設けられ、走行する前記磁気カードの前記読取方向側の端部から押圧される清掃部と、
を有することを特徴とする磁気記録媒体読取装置。
【請求項２】
前記清掃部は、前記ガイド部の前記磁気カードの走行面よりも下方で回転自在に軸支されている、
ことを特徴とする請求項１記載の磁気記録媒体読取装置。
【請求項３】
前記清掃部は、基材と前記基材の主面に取り付けられたクリーニング材とにより構成されている、
ことを特徴とする請求項１または２に記載の磁気記録媒体読取装置。
【請求項４】
前記クリーニング材は、導電性の不織布である、
ことを特徴とする請求項３記載の磁気記録媒体読取装置。
【発明の詳細な説明】
【技術分野】
【０００１】
本発明は、磁気記録媒体が付されたカードを受け付けて当該磁気記録媒体を読み取る磁気記録媒体読取装置に関する。
【背景技術】
【０００２】
磁気カードは、個人の識別情報等が書き込まれた磁気ストライプ（磁気記録媒体）が付されており、個人の識別を要するクレジットカード、キャッシュカード、入退室カード等に利用されている。
【０００３】
磁気カードの磁気ストライプに対する情報の読み取り／書き込みには、リーダライタ装置が用いられる（例えば、特許文献１，２参照）。リーダライタ装置は、磁気ヘッドを内蔵している。磁気ヘッドは、当該磁気ヘッドに対して磁気カードの磁気ストライプが摺動されることにより、磁気ストライプに対する情報の読み取り／書き込みといった磁気的処理を行う。
【０００４】
ところで、磁気カードは手で取り扱われるために、手垢等の汚れが付着してしまう恐れがある。また、磁気カードは、利用者の保管環境、取扱状況によっては、埃等の汚れが付着してしまうこともある。リーダライタ装置は、汚れた状態の磁気カードを受け付けると、磁気カードの磁気ストライプに対して磁気的処理を行う際に磁気ヘッドに磁気カードからの汚れが付着してしまう。磁気ヘッドは、汚れが付着して蓄積してしまうと、磁気カードの磁気ストライプに対して磁気的処理を正常に行うことができなくなる。例えば、磁気ヘッドは磁気カードの磁気ストライプの情報を正しく読み取ることができなくなると、磁気カードの認証等を行うことができない。また、磁気ヘッドは磁気カードの磁気ストライプに情報を正しく書き込むことができなくなってしまう。
【０００５】
そこで、リーダライタ装置に対して磁気ヘッドのクリーニングを定期的に行う必要がある。クリーニングの手段として、例えば、特許文献１に記載のリーダライタ装置では、内蔵しているクリーニング材に対して磁気ヘッドを押圧するような機構が用いられている。また、別の手段としては、例えば、特許文献２に記載のリーダライタ装置では、人為的にクリーニングカードが操作されることで磁気ヘッドのクリーニングが行われる（例えば、特許文献３参照）。
【先行技術文献】
【特許文献】
【０００６】
【特許文献１】特開平４−２６５５０９号公報
【特許文献２】特開２０１１−１８０７２７号公報
【特許文献３】特開２０１３−０３０２４３号公報
【発明の概要】
【発明が解決しようとする課題】
【０００７】
しかし、磁気ヘッドのクリーニング手段としてクリーニングカードを用いる場合には、クリーニングカードを人為的に操作する作業が発生する。このような作業は、煩雑であって、人が行うために失念されてしまう恐れがある。磁気ヘッドは、クリーニングが行われていない状態が維持されると、既述の通り、汚れが蓄積されて磁気カードの磁気ストライプに対する磁気的処理を正常に実行できなくなってしまう。
【０００８】
本発明は、このような問題に鑑みてなされたものであり、磁気ヘッドに対する汚れの蓄積を防止する磁気記録媒体読取装置を提供することを目的とする。
【課題を解決するための手段】
【０００９】
本発明では、上記課題を解決するために、磁気カードに付された磁気記録媒体に対して読み取り処理を行う磁気記録媒体読取装置において、読取方向に走行する前記磁気カードをガイドするガイド部と、前記ガイド部に設けられ、走行する前記磁気カードに通過される間に、前記磁気記録媒体を前記磁気カードの主面方向に押圧する磁気ヘッドと、前記ガイド部の前記磁気ヘッドに対して前記読取方向の反対側に設けられ、走行する前記磁気カードの前記読取方向側の端部から押圧される清掃部と、を有する磁気記録媒体読取装置が提供される。
【発明の効果】
【００１０】
上記の磁気記録媒体読取装置によれば、磁気記録媒体に対する磁気的処理を正常に行うことができる。
【図面の簡単な説明】
【００１１】
【図１】第１の実施の形態に係る磁気記録媒体読取装置と、当該磁気記録媒体読取装置による磁気記録媒体の読み取り方法との概略図である。
【図２】第１の実施の形態に係る別の磁気記録媒体読取装置と、当該磁気記録媒体読取装置による磁気記録媒体の読み取り方法との概略図である。
【図３】第２の実施の形態に係るリーダライタ装置の外観の一例を示す図である。
【図４】第２の実施の形態に係るリーダライタ装置の上部及び側部の一例を示す図である。
【図５】第２の実施の形態に係るリーダライタ装置の清掃ユニットの回転機構の上部及び側部の一例を示す図である。
【図６】第２の実施の形態に係るリーダライタ装置における磁気ストライプの読み取り方法の一例を示す図（その１）である。
【図７】第２の実施の形態に係るリーダライタ装置における磁気ストライプの読み取り方法の一例を示す図（その２）である。
【図８】第２の実施の形態に係るリーダライタ装置における磁気ストライプの読み取り方法の一例を示す図（その３）である。
【図９】第２の実施の形態に係るリーダライタ装置における磁気ストライプの読み取り方法の一例を示す図（その４）である。
【発明を実施するための形態】
【００１２】
以下、図面を参照して実施の形態について説明する。
［第１の実施の形態］
磁気記録媒体読取装置は、磁気カードに付された磁気記録媒体に対して読み取り／書き込みの磁気的処理を行う。磁気記録媒体読取装置は、読取方向に走行する磁気カードをガイドするガイド部の磁気ヘッドに対して読取方向の反対側に清掃部が備えられている。磁気記録媒体読取装置では、読み取り処理の際に、清掃部はガイド部を走行する磁気カードの読取方向側の端部から押圧される。これにより、磁気記録媒体読取装置は、清掃部が磁気ヘッドに磁気カードの主面側に押圧されながら当該磁気ヘッドを通過して、磁気ヘッドの読み取り面を清掃するものである。
【００１３】
このような磁気記録媒体読取装置について、図１を用いて説明する。
図１は、第１の実施の形態に係る磁気記録媒体読取装置と、当該磁気記録媒体読取装置による磁気記録媒体の読み取り方法との概略図である。
【００１４】
なお、図１（Ａ）〜（Ｅ）は、磁気記録媒体読取装置１に対する磁気カードＣの走行を時系列的にそれぞれ表している。また、図１中の実線の矢印は、磁気カードＣの読取方向を、破線の矢印は清掃部４の移動方向をそれぞれ示している。
【００１５】
磁気記録媒体読取装置１は、磁気カードＣに付された磁気記録媒体Ｓに対して読み取り処理を行うものであって、図１（Ａ）に示すように、ガイド部２と、磁気ヘッド３、清掃部４を有する。
【００１６】
ガイド部２は、読取方向に走行する磁気カードＣをガイドする。
磁気ヘッド３は、ガイド部２に設けられ、ガイド部２を走行する磁気カードＣに通過される間に、磁気記録媒体Ｓを磁気カードＣの主面方向に押圧する。磁気ヘッド３は、このように磁気記録媒体Ｓを押圧して、磁気記録媒体Ｓから情報を取得する。
【００１７】
清掃部４は、ガイド部２の磁気ヘッド３に対して読取方向の反対側に設けられ、走行する磁気カードＣの読取方向側の端部から押圧される。なお、清掃部４は、例えば、その下端部（図１中下側）がガイド部２の磁気カードＣの走行面よりも下方で回転自在に軸支され（その構成の詳細の図示を省略）、弾性部材（図示を省略）により元の位置に戻るように付勢されている。清掃部４は、このように磁気カードＣに押圧されると、磁気ヘッド３から磁気カードＣの主面方向に押圧されながら磁気ヘッド３を通過することで、磁気ヘッド３の読み取り面を清掃する。また、清掃部４は、例えば、導電性の不織布、微細な粒子を表面に塗布した布等により構成されている。
【００１８】
次に、このような磁気記録媒体読取装置１の磁気カードＣに対する読み取り方法について説明する。
まず、磁気記録媒体読取装置１では、ユーザにより、ガイド部２の図１中左側から磁気カードＣが入れられて（図１（Ａ））、磁気カードＣの読取方向への走行が開始される。
【００１９】
ガイド部２を走行する磁気カードＣは、当該磁気カードＣの読取方向側の端部が清掃部４に接触する（図１（Ｂ））。
磁気カードＣを続けて読取方向に走行させると、清掃部４は、ガイド部２に対して軸支されているため、走行する磁気カードＣに押圧されて傾き始める（図１（Ｃ））。また、清掃部４が傾き始めると、磁気ヘッド３は、磁気カードＣの磁気記録媒体Ｓと接触し始めて、磁気カードＣの主面側に押圧して、磁気記録媒体Ｓの情報の読み取りを開始する。清掃部４は、磁気カードＣの読取方向への更なる走行に伴い、矢印ａ１の方向に回転し、最終的には、ガイド部２の下部（図１中下側）まで傾く（図１（Ｄ））。このように清掃部４は、走行する磁気カードＣに押圧されて回転する際に、磁気ヘッド３の読み取り面をクリーニングして、磁気ヘッド３に付着した汚れを落とすことができる。
【００２０】
磁気カードＣが、傾いた清掃部４の上を走行して清掃部４を乗り越えると、磁気ヘッド３は磁気記録媒体Ｓの読み取りを終えると同時に、清掃部４は、弾性部材により破線の矢印ａ２に沿って回転して元の位置に戻る（図１（Ｅ））。清掃部４は、元の位置に戻るために回転する際にも、磁気ヘッド３の読み取り面をクリーニングすることができる。
【００２１】
磁気記録媒体読取装置１は、清掃部４が元の位置に戻ると、再び、磁気カードＣを受け付けることができる。
上記のように、磁気ヘッド３をクリーニングするために、磁気カードＣにより押圧された清掃部４は、回転に限らず、例えば、以下の図２を用いて説明するように動作することも可能である。
【００２２】
図２は、第１の実施の形態に係る別の磁気記録媒体読取装置と、当該磁気記録媒体読取装置による磁気記録媒体の読み取り方法との概略図である。
なお、図２（Ａ），（Ｂ），（Ｆ），（Ｇ）は、磁気記録媒体読取装置１ａに対する磁気カードＣの走行を時系列的にそれぞれ表している。また、図２中の実線の矢印は、磁気カードＣの読取方向を、破線の矢印は清掃部４の移動方向をそれぞれ示している。図２（Ａ），（Ｂ）は、図１（Ａ），（Ｂ）に対応しており、図２に示す磁気記録媒体読取装置１ａは、清掃部４ａ以外は、図１で説明した磁気記録媒体読取装置１と同じ構成を有している。
【００２３】
磁気記録媒体読取装置１ａの清掃部４ａは、図１の清掃部４と同様に、導電性の不織布、微細な粒子を表面に塗布した布等により構成されている。また、清掃部４ａは、図１の清掃部４と同様に、ガイド部２の磁気ヘッド３に対して読取方向の反対側に設けられ、走行する磁気カードＣの読取方向側の端部から押圧される。一方、清掃部４ａは、走行する磁気カードＣに押圧されると、磁気カードＣと共にガイド部２を読取方向に平行に移動して、磁気ヘッド３から磁気カードＣの主面方向に押圧されながら磁気ヘッド３を通過する。これにより、清掃部４ａは磁気ヘッド３の読み取り面を清掃する。そして、清掃部４ａは、磁気ヘッド３を通過すると、ガイド部２の下側（図２中下方）に退避し、ガイド部２の下側を読取方向の反対方向に移動して、再び、元の位置に戻る。
【００２４】
次に、このような磁気記録媒体読取装置１ａの磁気カードＣに対する読み取り方法について説明する。
磁気記録媒体読取装置１ａでは、ユーザにより、磁気カードＣがガイド部２に入れられて（図２（Ａ））、読取方向に走行させると、当該磁気カードＣの読取方向側の端部が清掃部４ａに接触する（図２（Ｂ））。
【００２５】
磁気カードＣを続けて読取方向に走行させると、清掃部４ａは磁気カードＣに押圧されて磁気カードＣと共に矢印ｂ１の方向に移動して、磁気ヘッド３から磁気カードＣの主面方向に押圧されながら磁気ヘッド３を通過する（図２（Ｆ））。清掃部４ａは、このようにして磁気ヘッド３を通過する際に、磁気ヘッド３の読み取り面をクリーニングして、磁気ヘッド３に付着した汚れを落とすことができる。また、磁気ヘッド３は、走行する磁気カードＣの磁気記録媒体Ｓを磁気カードＣの主面方向に押圧して、磁気記録媒体Ｓの読み取りを行う。
【００２６】
清掃部４ａは、磁気ヘッド３を通過すると、ガイド部２の下側（矢印ｂ２方向）に退避し、読取方向の反対側（矢印ｂ３方向）に移動し、再び、元の位置に戻る。磁気カードＣは、清掃部４ａの退避により、ガイド部２を通過する（図２（Ｇ））。
【００２７】
磁気記録媒体読取装置１ａは、清掃部４ａが元の位置に戻ると、再び、磁気カードＣを受け付けることができる。
このような磁気記録媒体読取装置１，１ａでは、読取方向に走行する磁気カードＣをガイドするガイド部２の磁気ヘッド３に対して読取方向の反対側に清掃部４，４ａを設けるようにした。これにより、磁気記録媒体読取装置１，１ａでは、清掃部４，４ａは、ガイド部２を走行する磁気カードＣの読取方向側の端部から押圧されて、磁気ヘッド３から磁気カードＣの主面方向に押圧されながら磁気ヘッド３を通過する。この際、清掃部４，４ａは、磁気ヘッド３の読み取り面をクリーニングすることができるため、磁気ヘッド３の読み取り面に汚れが付着して蓄積されることを防止することができる。したがって、磁気記録媒体読取装置１，１ａでは、磁気ヘッド３の清掃を人為的に行わなくても、磁気ヘッド３の清掃を実施することができ、磁気ヘッド３による磁気記録媒体Ｓに対する磁気的処理のエラーの発生を防止することができる。
【００２８】
［第２の実施の形態］
第２の実施の形態では、第１の実施の形態の磁気記録媒体読取装置１をより具体的に説明する。
【００２９】
まず、磁気カードに付されている磁気ストライプに対して読み取り／書き込みを行うリーダライタ装置について、図３を用いて説明する。
図３は、第２の実施の形態に係るリーダライタ装置の外観の一例を示す図である。
【００３０】
なお、図３（Ａ）は、リーダライタ装置１０の上面図、図３（Ｂ）は、リーダライタ装置１０の（図３（Ａ）の右側から見た）正面図をそれぞれ表している。
リーダライタ装置１０（磁気記録媒体読取装置）は、筐体１１内に、磁気カードに対して読み取り／書き込みを行うリーダライタ部２０が収納されている。
【００３１】
リーダライタ部２０は、磁気カードが挿通される挿通溝１２を備え、当該挿通溝１２側に向けて、磁気ヘッド２２が設けられている。さらに、挿通溝１２には、清掃ユニット３０が設けられている。
【００３２】
次いで、リーダライタ部２０について、図４を用いて説明する。
図４は、第２の実施の形態に係るリーダライタ装置の上部及び側部の一例を示す図である。
【００３３】
なお、図４（Ａ）は、リーダライタ部２０の上面図、図４（Ｂ）は、リーダライタ部２０の側面図をそれぞれ表している。
リーダライタ部２０には、２個の磁気ヘッド２２が付勢部材２３でガイド部２１の外側から挿通溝１２側に付勢されるようにガイド部２１に各１つ設けられている。具体的には、２個の磁気ヘッド２２は、ガイド部２１の外側の周囲を付勢部材２３に保持されている。
【００３４】
磁気ヘッド２２の背面側（ガイド部２１の外側）には接続部２２ａが突起状に設けられている。この接続部２２ａは、それぞれフレキシブル基板（図示を省略）の信号線回路に接続されている。
【００３５】
付勢部材２３は、例えば、板バネといった弾性部材である。この付勢部材２３は、中央部で磁気ヘッド２２の中央部を保持すると共に、端部で、ガイド部２１に螺子２４を介して保持されている。
【００３６】
付勢部材２３の端部と中央部の磁気ヘッド２２の保持部との間に、外側規制部材２５と内側規制部材２６が配置されている（なお、図４（Ｂ）ではそれらの図示を省略）。外側規制部材２５は、挿通溝１２に磁気カードが挿入された際に、磁気ヘッド２２は磁気カードにより押され、磁気ヘッド２２の先端部に力が加わり、挿通溝１２から外部へ向かって移動する。
【００３７】
この時、磁気ヘッド２２を固定している付勢部材２３は、磁気ヘッド２２の固定箇所（付勢部材２３の中央部）が磁気カードからの力を受けて付勢部材２３の中央部は、外側へ向かって変形する。
【００３８】
しかし、磁気ヘッド２２は、磁気カードの磁気ストライプから情報を読み取る必要があり、一定の圧力が掛かった状態を維持させる必要があり、この状態を保つために付勢部材２３の弾力性で維持し、また、他の力が掛かった場合でも、これ以上、付勢部材２３を外部に変形させる力を阻止するために外側規制部材２５が設けられている。
【００３９】
内側規制部材２６は、挿通溝１２の磁気ヘッド２２を通過した際に、磁気ヘッド２２は磁気カードからの圧力がなくなり、押されていた磁気ヘッド２２を取り付けている付勢部材２３は、元の状態（平らな状態）に戻ろうと挿通溝１２の内部へ向かって変形する。
【００４０】
なお、このように付勢部材２３で付勢された磁気ヘッド２２は、図４（Ａ）に示すように、その向かい合わせ位置をやや左右にずらして配置されている。これは、２個の磁気ヘッド２２の先端部間の間隙が、磁気ヘッド２２が対向する場合よりも、広くなるように考慮されているためである。仮に、２個の磁気ヘッド２２を対向するように挿通溝１２側に突出させると、磁気ヘッド２２は、挿通溝１２に挿通される磁気カードの磁気ストライプに圧接するために、磁気ヘッド２２の先端部が近接し過ぎてしまう。磁気ヘッド２２の先端部が近接し過ぎると、磁気カードがガイド部２１を通過した際に、磁気カードとの圧接で外側にやや後退していた磁気ヘッド２２が元の位置に戻ると、戻り動作の慣性で戻り過ぎ、磁気ヘッド２２の先端部同士が衝突し合って損傷するという不具合が起きる。この不具合を避けるために、２個の磁気ヘッド２２は向かい合わせ位置をやや左右にずらして配置されている。
【００４１】
また、リーダライタ部２０の一対のガイド部２１には、後述するように清掃ユニット３０が回転する場合に、当該清掃ユニット３０が必要以上に回転しないように、清掃ユニット３０の回転を停止するストッパ部２７が設けられている。
【００４２】
さらに、リーダライタ部２０には、一対のガイド部２１に挟持されて図４中下端部が軸支機構４０により軸支された清掃ユニット３０が挿通溝１２に設けられている。
清掃ユニット３０は、基材３１と、基材３１の表裏面に設けられたクリーニング材３２、抑止部３３を備える。
【００４３】
次に、このような清掃ユニット３０の動作について図５を用いて説明する。
図５は、第２の実施の形態に係るリーダライタ装置の清掃ユニットの回転機構の上部及び側部の一例を示す図である。
【００４４】
なお、図５（Ａ）は、ガイド部２１に軸支機構４０により軸支された清掃ユニット３０の上面図、図５（Ｂ）は、清掃ユニット３０の軸支機構４０で軸支された箇所の拡大図をそれぞれ表している。
【００４５】
挿通溝１２に設けられた清掃ユニット３０の基材３１を一対のガイド部２１に挟持させて軸支する軸支機構４０は、図５（Ａ）に示すように、シャフト４１と、スプリング４２とを有する。
【００４６】
シャフト４１は、清掃ユニット３０の基材３１を一対のガイド部２１に回転自在に軸支しており、後述するスプリング４２に嵌合している。
スプリング４２は、ガイド部２１と清掃ユニット３０の基材３１との間であって、清掃ユニット３０の基材３１の図５中上下にそれぞれ固着されて、シャフト４１が嵌合されている。
【００４７】
清掃ユニット３０は、このような軸支機構４０でガイド部２１に軸支されているために、例えば、清掃ユニット３０を図５中左側に付勢すると、図５（Ｂ）の破線で示す位置に、図５中反時計回りに回転して、スプリング４２の端部４２ｂが傾く。一方、清掃ユニット３０は、このような付勢が解除されると、スプリング４２の弾性力により、元の位置に戻る。
【００４８】
次に、このような構成を有するリーダライタ部２０により磁気カードの磁気ストライプの読み取り方法について図６〜図９を用いて説明する。
図６〜図９は、第２の実施の形態に係るリーダライタ装置における磁気ストライプの読み取り方法の一例を示す図である。
【００４９】
なお、図６〜図９では、リーダライタ装置１０のリーダライタ部２０を記載しており、筐体１１の記載については省略し、さらに付勢部材２３及び螺子２４の記載も省略している。
【００５０】
まず、リーダライタ部２０では、ユーザにより、ガイド部２１の図６中右側の挿通溝１２から磁気カードＣが入れられて、磁気カードＣの読取方向（実線の矢印）への走行が開始される。
【００５１】
ガイド部２１を走行する磁気カードＣは、当該磁気カードＣの読取方向側の端部が清掃ユニット３０に接触する（図６）。
磁気カードＣを続けて読取方向に走行させると、走行する磁気カードＣに押圧された清掃ユニット３０は、ガイド部２１に対して清掃ユニット３０の下端部を軸支する軸支機構４０のシャフト４１を中心にして、（破線の矢印方向に）傾き始める。この際、清掃ユニット３０のクリーニング材３２が磁気ヘッド２２から磁気カードＣの主面方向に押圧されて、磁気ヘッド２２を通過し始める（図７）。
【００５２】
その後、清掃ユニット３０がより傾くと、磁気ヘッド２２は、磁気カードＣの磁気ストライプＭＳと接触し始めて、磁気ストライプＭＳを磁気カードＣの主面方向に押圧して、磁気ストライプＭＳの情報の読み取りを開始する。
【００５３】
清掃ユニット３０は、磁気カードＣの読取方向への更なる走行に伴い、図８中反時計回り方向に回転し、最終的には、抑止部３３がストッパ部２７に接触して、読取方向と平行になるまで傾く（図８）。
【００５４】
このように清掃ユニット３０は、走行する磁気カードＣに押圧されて回転する際に、磁気ヘッド２２の読み取り面をクリーニングして、磁気ヘッド２２に付着した汚れを落とすことができる。
【００５５】
また、清掃ユニット３０は、抑止部３３がガイド部２１のストッパ部２７に接触するために、図８の場合に対して、より反時計回り方向に回ることがなく、読取方向に対して水平を維持することができる。このため、ガイド部２１に対して磁気カードＣを安定して走行させることが可能となり、磁気ヘッド２２は磁気カードＣの磁気ストライプＭＳを安定して読み取ることができる。
【００５６】
磁気カードＣが、傾いた清掃ユニット３０の上を走行して清掃ユニット３０を乗り越えると、磁気ヘッド２２は磁気ストライプＭＳの読み取りを終えると同時に、清掃ユニット３０は、スプリング４２の弾性力により破線の矢印に沿って回転して元の位置に戻る（図９）。
【００５７】
清掃ユニット３０は、元の位置に戻るために回転する際にも、磁気ヘッド２２の読み取り面をクリーニングすることができる。
リーダライタ装置１０のリーダライタ部２０は、再び、磁気カードＣを受け付けることができる。このようなリーダライタ装置１０のリーダライタ部２０では、読取方向に走行する磁気カードＣをガイドするガイド部２１の磁気ヘッド２２に対して読取方向の反対側に清掃ユニット３０を設けるようにした。清掃ユニット３０は、その下端部がガイド部２１に対して軸支機構４０により回転自在かつ元の位置に戻るように設けられている。これにより、清掃ユニット３０は、ガイド部２１を走行する磁気カードＣの読取方向側の端部から押圧されて、軸支機構４０のシャフト４１を中心に回転して磁気ヘッド２２から磁気カードＣの主面方向に押圧されながら磁気ヘッド２２を通過する。この際、清掃ユニット３０は、磁気ヘッド２２の読み取り面をクリーニングすることができるため、磁気ヘッド２２の読み取り面に汚れが付着して蓄積されることを防止することができる。したがって、リーダライタ装置１０では、磁気ヘッド２２の清掃を人為的に行わなくても、磁気ヘッド２２の清掃を実施することができ、磁気ヘッド２２による磁気ストライプＭＳに対する磁気的処理のエラーの発生を防止することができる。
【符号の説明】
【００５８】
１  磁気記録媒体読取装置
２  ガイド部
３  磁気ヘッド
４  清掃部
Ｃ  磁気カード
Ｓ  磁気記録媒体
【図１】
2014203468.tif 000003
【図２】
2014203468.tif 000004
【図３】
2014203468.tif 000005
【図４】
2014203468.tif 000006
【図５】
2014203468.tif 000007
【図６】
2014203468.tif 000008
【図７】
2014203468.tif 000009
【図８】
2014203468.tif 000010
【図９】
2014203468.tif 000011